(57)【要約】【課題】複数の組織でマルチキャスト放送サービスの無線リソースを共有する場合に、１台のマルチキャスト放送サービスサーバーで組織ごとの無線リソースの管理制御を実施することができるマルチキャスト放送サービスサーバーを得ること。【解決手段】マルチキャスト放送サービスを提供するマルチキャスト放送サービスシステムにおいて、複数の組織が提供するコンテンツを配信するマルチキャスト放送サービスサーバーであって、コンテンツを登録する場合に、保持しているコンテンツと提供元の組織との対応に基づいてそのコンテンツに対応する組織を求め、その組織に対応する優先度を、組織優先度情報を保持するポリシー機能サーバーから取得する優先度取得手段と、優先度に基づいて、コンテンツの配信スケジューリングを行うスケジューリング手段と、を備える。【選択図】図２
2010283775.tif 000002
【特許請求の範囲】
【請求項１】
端末局へマルチキャスト放送サービスを提供するマルチキャスト放送サービスシステムにおいて複数の組織が提供するコンテンツを配信するマルチキャスト放送サービスサーバーであって、
コンテンツと提供元の組織との対応を保持し、コンテンツを登録する場合に、保持している対応に基づいてそのコンテンツに対応する組織を求め、その組織に対応する優先度を、組織と優先度との対応である組織優先度情報を保持するポリシー機能サーバーから取得する優先度取得手段と、
前記優先度に基づいて、コンテンツの配信スケジューリングを行うスケジューリング手段と、
を備えることを特徴とするマルチキャスト放送サービスサーバー。
【請求項２】
マルチキャスト放送サービスを提供するマルチキャスト放送サービスシステムにおいて複数の組織が提供するコンテンツを配信するマルチキャスト放送サービスサーバーであって、
コンテンツと配信先の組織との対応を保持し、コンテンツを登録する場合に、保持している対応に基づいてそのコンテンツに対応する組織を求め、その組織に対応する優先度を、組織と優先度との対応である組織優先度情報を保持するポリシー機能サーバーから取得する優先度取得手段と、
前記優先度に基づいて、コンテンツの配信スケジューリングを行うスケジューリング手段と、
を備えることを特徴とするマルチキャスト放送サービスサーバー。
【請求項３】
端末局へマルチキャスト放送サービスを提供するマルチキャスト放送サービスシステムにおいて複数の組織が提供するコンテンツを配信するマルチキャスト放送サービスサーバーであって、
組織と優先度との対応である組織優先度情報を保持する優先度保持手段と、
コンテンツと提供元の組織との対応を保持し、コンテンツを登録する場合に、保持している対応に基づいてそのコンテンツに対応する組織を求め、その組織に対応する優先度を、前記組織優先度情報に基づいて求める優先度取得手段と、
前記優先度に基づいて、コンテンツの配信スケジューリングを行うスケジューリング手段と、
を備えることを特徴とするマルチキャスト放送サービスサーバー。
【請求項４】
端末局へマルチキャスト放送サービスを提供するマルチキャスト放送サービスシステムにおいて複数の組織が提供するコンテンツを配信するマルチキャスト放送サービスサーバーであって、
組織と優先度との対応である組織優先度情報を保持する優先度保持手段と、
コンテンツと配信先の組織との対応を保持し、コンテンツを登録する場合に、保持している対応に基づいてそのコンテンツに対応する組織を求め、その組織に対応する優先度を、前記組織優先度情報に基づいて求める優先度取得手段と、
前記優先度に基づいて、コンテンツの配信スケジューリングを行うスケジューリング手段と、
を備えることを特徴とするマルチキャスト放送サービスサーバー。
【請求項５】
各組織内の役職をそれぞれ１以上の役職レベルに分類することとし、
コンテンツごとに、そのコンテンツの開示を許可する役職レベルと、そのコンテンツの開示を許可する組織および組織内の部署と、を対応付けて組織情報として保持し、前記端末局からコンテンツの配信要求があった場合に、その端末局の利用者に対応する役職レベルと、組織および組織内の部署と、を所定の利用者情報取得処理により取得し、前記組織情報に基づいて、取得した役職レベル、組織および組織内の部署に対して開示を許可するコンテンツを検索し、その検索結果を、端末局へコンテンツに関する情報を通知するためのサービスガイドに含めて前記配信要求の送信元の端末局へ送信するサービスガイド送信手段と、
をさらに備えることを特徴とする請求項１〜４のいずれか１つに記載のマルチキャスト放送サービスサーバー。
【請求項６】
各組織内の役職をそれぞれ１以上の役職レベルに分類することとし、
コンテンツごとに、そのコンテンツの開示を許可する役職レベルと、そのコンテンツの開示を許可する組織および組織内の部署と、を対応付けて組織情報として保持し、コンテンツごとの組織情報を、前記端末局へコンテンツに関する情報を通知するためのサービスガイドに含めて前記端末局へ一斉配信するサービスガイド送信手段と、
をさらに備えることを特徴とする請求項１〜４のいずれか１つに記載のマルチキャスト放送サービスサーバー。
【請求項７】
前記端末局から、その端末局が前記サービスガイドに基づいてサービスの提供を要求するコンテンツを選択したコンテンツの配信を要求する配信要求を受信した場合、または、選択したコンテンツを受信するための情報の取得を要求する情報取得要求を受信した場合、その端末局の利用者に対応する役職レベルと、組織および組織内の部署と、を所定の利用者情報取得処理により取得し、前記組織情報に基づいて、取得した役職レベル、組織および組織内の部署に対して、前記配信要求の送信元の端末が選択したコンテンツの開示が許可されているか否かを確認することを特徴とする請求項６に記載のマルチキャスト放送サービスサーバー。
【請求項８】
前記所定の利用者情報取得処理を、前記マルチ放送サービスに加入している加入者ごとの役職レベル、組織および組織内の部署の情報を含む加入者情報を保持する加入者データベースサーバーから、端末局の利用者の識別情報に基づいて、その識別情報に対応する加入者情報を取得する処理とすることを特徴とする請求項５、６または７に記載のマルチキャスト放送サービスサーバー。
【請求項９】
マルチキャスト放送サービスとして、端末局へ複数の組織が提供するコンテンツを配信するマルチキャスト放送サービスシステムであって、
請求項１または２に記載のマルチキャスト放送サービスサーバーと、
組織と優先度との対応である組織優先度情報を保持するポリシー機能サーバーと、
を備えることを特徴とするマルチキャスト放送サービスシステム。
【請求項１０】
端末局へマルチキャスト放送サービスを提供するマルチキャスト放送サービスシステムにおいて、複数の組織が提供するコンテンツを配信するマルチキャスト放送サービスサーバーにおけるリソース管理方法であって、
コンテンツと提供元の組織との対応を保持し、コンテンツを登録する場合に、保持している対応に基づいてそのコンテンツに対応する組織を求め、その組織に対応する優先度を、組織と優先度との対応である組織優先度情報を保持するポリシー機能サーバーから取得する優先度取得ステップと、
前記優先度に基づいて、コンテンツの配信スケジューリングを行うスケジューリングステップと、
を含むことを特徴とするリソース管理方法。
【請求項１１】
端末局へマルチキャスト放送サービスを提供するマルチキャスト放送サービスシステムにおいて、複数の組織が提供するコンテンツを配信するマルチキャスト放送サービスサーバーにおけるリソース管理方法であって、
コンテンツと配信先の組織との対応を保持し、コンテンツを登録する場合に、保持している対応に基づいてそのコンテンツに対応する組織を求め、その組織に対応する優先度を、組織と優先度との対応である組織優先度情報を保持するポリシー機能サーバーから取得する優先度取得ステップと、
前記優先度に基づいて、コンテンツの配信スケジューリングを行うスケジューリングステップと、
を含むことを特徴とするリソース管理方法。
【請求項１２】
端末局へマルチキャスト放送サービスを提供するマルチキャスト放送サービスシステムにおいて、複数の組織が提供するコンテンツを配信するマルチキャスト放送サービスサーバーにおけるリソース管理方法であって、
組織と優先度との対応である組織優先度情報を保持する優先度保持ステップと、
コンテンツと提供元の組織との対応を保持し、コンテンツを登録する場合に、保持している対応に基づいてそのコンテンツに対応する組織を求め、その組織に対応する優先度を、前記組織優先度情報に基づいて求める優先度取得ステップと、
前記優先度に基づいて、コンテンツの配信スケジューリングを行うスケジューリングステップと、
を含むことを特徴とするリソース管理方法。
【請求項１３】
端末局へマルチキャスト放送サービスを提供するマルチキャスト放送サービスシステムにおいて、複数の組織が提供するコンテンツを配信するマルチキャスト放送サービスサーバーにおけるリソース管理方法であって、
組織と優先度との対応である組織優先度情報を保持する優先度保持ステップと、
コンテンツと配信先の組織との対応を保持し、コンテンツを登録する場合に、保持している対応に基づいてそのコンテンツに対応する組織を求め、その組織に対応する優先度を、前記組織優先度情報に基づいて求める優先度取得ステップと、
前記優先度に基づいて、コンテンツの配信スケジューリングを行うスケジューリングステップと、
を含むことを特徴とするリソース管理方法。
【発明の詳細な説明】
【技術分野】
【０００１】
本発明は、広帯域無線アクセスシステムにおけるマルチキャスト放送サービスを提供するマルチキャスト放送サービスサーバーに関する。
【背景技術】
【０００２】
広帯域無線アクセスシステムの例として、モバイルＷｉＭＡＸがある。モバイルＷｉＭＡＸは、ＩＥＥＥ８０２．１６（Institute  of  Electrical  and  Electronic  Engineers）標準規格に従う通信システムであり、ＷｉＭＡＸフォーラムにおいてシステム・プロファイルやエンド・ツー・エンドのネットワーク・アーキテクチャの仕様策定が行われている。
【０００３】
モバイルＷｉＭＡＸでは、マルチキャスト放送サービス（MultiCast  and  BroadCast  Service：ＭＢＳまたはＭＣＢＣＳと略される）が規定されている。マルチキャスト放送サービスは、複数の基地局の配下に存在する多数の端末に対してサービスを提供する通信サービスである。マルチキャスト放送サービスでは、ＭＢＳゾーンと呼ばれる複数の基地局の集合が定義され、同一ＭＢＳゾーン内の基地局は、同一パケットを同一の送信パラメータを用い、同一の送信タイミングに同期して送信される(たとえば、下記非特許文献１参照)。
【０００４】
また、従来のマルチキャスト放送サービスの技術として、サービスガイド（案内）をユーザに配信するＭＣＢＣＳサーバーが開示されている（たとえば、下記特許文献１参照）。サービスガイドには、いくつかのコンテンツで構成されるマルチキャスト放送プログラムが含まれている。コンテンツは、ＭＢＳゾーンごとに、コンテンツ識別子などのアプリケーションレイヤの識別子と、マルチキャスト・コネクション識別子（ＭＣＩＤ：Multicast  Connection  IDentifier）などのＭＡＣ（Media  Access  Control）レイヤの識別子やコンテツＩＰ（Internet  Protocol）（マルチキャストＩＰアドレス）などのＩＰレイヤの識別子と、の対応情報、および配信の開始時間，終了時間、暗号鍵情報、などの情報が含まれる。サービスガイドを受信した端末局は、マルチキャスト放送プログラムまたはコンテンツを選択し、サービスガイドによって配信された情報を用いて、選択したプログラムまたはコンテンツを受信する。
【先行技術文献】
【特許文献】
【０００５】
【特許文献１】特開２００８−１８２７０７号公報
【非特許文献】
【０００６】
【非特許文献１】庄納崇編著，「WiMAX教科書」インプレスＲ＆Ｄ，２００８年７月２１日発行，ｐ．227〜229
【発明の概要】
【発明が解決しようとする課題】
【０００７】
しかしながら、上記従来のマルチキャスト放送サービスの技術によれば、１つのサービス提供者（Service  Provider：ＳＰ）が１台のＭＣＢＣＳサーバーを用いてマルチキャスト放送サービスを提供することを想定している。そのため、複数の組織がマルチキャスト放送サービスを提供する場合の動作が考慮されていない、という問題があった。
【０００８】
従来のマルチキャスト放送サービスの技術により、複数の組織がマルチキャスト放送サービスを運営する場合、または、複数の組織に対してマルチキャスト放送サービスを提供する場合、たとえば、ＭＣＢＣＳサーバーを組織ごとに備える構成と、ＭＣＢＣＳの機能のうち組織個別の機能部と共通部分を分離し、組織個別の機能部を実現する組織個別サーバーを組織ごとに設ける構成と、の２種類の構成が考えられる。しかし、これらの構成とする場合、組織ごとに、ＭＣＢＣＳサーバーまたは組織個別の機能を持つサーバーを備える必要があり、サーバーの数が増加する、という問題があった。
【０００９】
また、これらの構成の場合、ＭＣＢＣＳサーバーが制御するマルチキャスト放送サービスの無線リソースを複数の組織で共用するために、複数の組織に対応したマルチキャスト放送サービスの管理制御および複数の組織間の調停のための優先度制御が必要である。しかし、これらの管理制御や優先度制御が用意されていない、という問題があった。
【００１０】
本発明は、上記に鑑みてなされたものであって、複数の組織でマルチキャスト放送サービスの無線リソースを共有する場合に、組織ごとのマルチキャスト放送サービスサーバーまたは組織個別の機能を有するサーバーを備えることなく、１台のマルチキャスト放送サービスサーバーで組織ごとの無線リソースの管理制御および優先度制御を実施することができるマルチキャスト放送サービスサーバー、マルチキャスト放送サービスシステムおよびリソース管理方法を得ることを目的とする。
【課題を解決するための手段】
【００１１】
上述した課題を解決し、目的を達成するために、本発明は、端末局へマルチキャスト放送サービスを提供するマルチキャスト放送サービスシステムにおいて、複数の組織が提供するコンテンツを配信するマルチキャスト放送サービスサーバーであって、コンテンツと提供元の組織との対応を保持し、コンテンツを登録する場合に、保持している対応に基づいてそのコンテンツに対応する組織を求め、その組織に対応する優先度を、組織と優先度との対応である組織優先度情報を保持するポリシー機能サーバーから取得する優先度取得手段と、前記優先度に基づいて、コンテンツの配信スケジューリングを行うスケジューリング手段と、を備えることを特徴とする。
【発明の効果】
【００１２】
本発明によれば、ＭＣＢＣＳサーバーが、コンテンツの登録時にそのコンテンツの組織情報をコンテンツに対応して保持し、ポリシー機能サーバーが保持している組織と優先度の対応である組織優先度を取得して、組織優先度と、コンテンツの組織情報と、に基づいてコンテンツ配信のスケジューリングを実施するようにしたので、複数の組織のマルチキャスト放送サービスを運営する場合に、組織ごとのサーバーを備えることなく、１台のサーバーで組織ごとの無線リソースの管理制御および優先度制御を実施することができる、という効果を奏する。
【図面の簡単な説明】
【００１３】
【図１】図１は、実施の形態１のマルチキャスト放送サービスシステムの構成例を示す図である。
【図２】図２は、サービスガイドを配信する場合の実施の形態１の制御フローの一例を示すチャート図である。
【図３】図３は、コンテンツ登録要求メッセージが含む情報要素の一例を示す図である。
【図４】図４は、組織情報の一例を示す図である。
【図５】図５は、組織情報の一例を示す図である。
【図６】図６は、配信スケジューリングを説明するための図である。
【図７】図７は、サービスガイド応答メッセージに含める情報要素の一例を示す図である。
【図８】図８は、実施の形態２のマルチキャスト放送サービスサーバーがサービスガイドを配信する場合の制御フローの一例を示すチャート図である。
【図９】図９は、サービスガイド通知メッセージに含める情報要素の一例を示す図である。
【発明を実施するための形態】
【００１４】
以下に、本発明にかかるマルチキャスト放送サービスサーバー、マルチキャスト放送サービスシステムおよびリソース管理方法の実施の形態を図面に基づいて詳細に説明する。なお、この実施の形態によりこの発明が限定されるものではない。
【００１５】
実施の形態１．
図１は、本発明にかかるマルチキャスト放送サービスサーバーを含む実施の形態１のマルチキャスト放送サービスシステムの構成例を示す図である。図１に示すように、本実施の形態のマルチキャスト放送サービスシステムは、端末局（ＭＳ：Mobile  Station）１０，１１と、基地局１２，１３，１４と、マルチキャストルータ１５，１８と、無線アクセス網ゲートウエイ（ＡＳＮ−ＧＷ）１６と、ＭＣＢＣＳ（マルチキャスト放送サービス）サーバー１９と、組織Ａコンテンツサーバー２０と、組織Ｂコンテンツサーバー２１と、ＡＡＡ（Authentications，Authorizations，and  Accounting）サーバー３０と、加入者データベースサーバー（Subcriber  Profile  ＤＢ）３１と、ポリシー機能サーバー３２と、で構成される。
【００１６】
無線アクセス網１７は、無線アクセス網ゲートウエイ（ＡＳＮ−ＧＷ）１６，基地局１２，１３，１４，マルチキャストルータ１５などで構成される無線アクセス網であり、端末局１０，１１とＭＣＢＣＳサーバー１９との通信を中継する。
【００１７】
基地局１２，１３，１４はＭＢＳゾーンと呼ばれる基地局の集合を構成しており、このＭＢＳゾーン内の基地局は、無線アクセス網ゲートウエイ１６の指示に従って、同じパケットを同一の送信パラメータを用い、同一の送信タイミングに同期して送信する。端末局１０，１１は、移動可能な無線局であり、無線アクセス網１７内の基地局１２，１３，１４と無線接続することにより、無線アクセス網１７を経由してＭＣＢＣＳサーバー１９からマルチキャスト放送サービスの提供を受ける。加入者データベースサーバー（Subcriber  Profile  ＤＢ）３１は、加入者に関する情報を加入者データベースとして保持するサーバーである。また、ポリシー機能サーバー３２は、優先度などサービスに関するポリシーを管理するサーバーであり、組織ごとの優先度である組織優先度を保持する。
【００１８】
ＭＣＢＣＳサーバー１９は、マルチキャスト放送サービスのプログラムを管理し、サービスガイドの配信、ＩＰマルチキャストグループの管理、セッションの管理とコンテンツの配信、データ暗号化と暗号鍵の管理などの機能を有する。また、ＭＣＢＣＳサーバー１９には、組織Ａコンテンツサーバー２０と組織Ｂコンテンツサーバー２１が接続されている。組織Ａコンテンツサーバー２０，組織Ｂコンテンツサーバー２１は、それぞれ組織Ａ，組織Ｂが提供するコンテンツのコンテンツサーバーであり、ＭＣＢＣＳサーバー１９にそれぞれの組織のコンテンツを登録する。また、ＡＡＡサーバー３０は、加入者データベースサーバー３１と連携してマルチキャスト放送サービスに関する認証・許可・課金を実施する。
【００１９】
なお、ここでは、ポリシー機能サーバー３２が、組織優先度を保持するようにしているが、これに限らず、ＭＣＢＣＳサーバー１９が、組織優先度を保持し、ポリシー機能サーバー３２の機能をＭＣＢＣＳサーバー１９が備える構成としてもよい。
【００２０】
つぎに、本実施の形態の動作を説明する。図２は、サービスガイドを配信する場合の本実施の形態の制御フローの一例を示すチャート図である。まず、コンテンツの登録時の動作を説明する。組織Ａコンテンツサーバー２０は、登録すべきコンテンツがある場合に、コンテンツの登録を要求するコンテンツ登録要求メッセージをＭＣＢＣＳサーバー１９へ送信する（ステップＳ１１）。ＭＣＢＣＳサーバー１９は、コンテンツ登録要求メッセージを受信すると、そのメッセージで要求されたコンテンツを登録し、登録の実施後に、コンテンツ登録要求メッセージへの応答としてコンテンツ登録応答メッセージを組織Ａコンテンツサーバー２０へ返送する（ステップＳ１２）。
【００２１】
同様に、組織Ｂコンテンツサーバー２１は、登録すべきコンテンツがある場合に、コンテンツの登録を要求するコンテンツ登録要求メッセージをＭＣＢＣＳサーバー１９へ送信する（ステップＳ１３）。そして、ＭＣＢＣＳサーバー１９は、コンテンツ登録を実施した後、コンテンツ登録応答メッセージを組織Ｂコンテンツサーバー２１へ返送する（ステップＳ１４）。
【００２２】
図３は、コンテンツ登録要求メッセージが含む情報要素の一例を示す図である。図３に示すように、コンテンツ登録要求メッセージには、プログラムを識別するための識別情報であるプログラム情報と、コンテンツを識別するための識別情報であるアプリケーションレイヤ情報と、が含まれる。コンテンツ登録要求メッセージには、さらに、コンテンツの配信を希望する時間（開始時間，終了時間）を示す配信希望スケジュールと、コンテンツを提供する組織を識別する情報であるコンテンツ提供者情報と、そのコンテンツの開示範囲を示す情報である組織情報と、を含む。組織情報は、開示対象とする組織の範囲（会社および部署の範囲）および役職レベルの範囲に関する情報を含む。ＭＣＢＣＳサーバー１９は、コンテンツ登録要求メッセージで登録を要求されたコンテンツを登録する際に、これらの情報をコンテンツに対応付けて保持していることとする。
【００２３】
図４および図５は、組織情報の一例を示す図である。これらの図では、横方向は組織の範囲を表しており、縦方向は役職レベルを表している。この例では、組織の範囲の分割単位を会社，部，課の３階層とし、役職レベルをＡ，Ｂ，Ｃの３レベルに分割した例である。図中の「Ａ１社」などの表記は、先頭の英文字が役職レベル（この場合はＡ）を示し、英文字以外の部分（「１社」など）は、組織を識別するための情報である。すなわち、「Ａ１社」は、「Ａ１社」に属する役職レベルがＡレベルのメンバを示し、「Ｂ１部」は、「Ｂ１部」に属する役職レベルがＢレベルのメンバを示す。
【００２４】
図４の例では、開示対象とする組織の範囲をＡ１社のＢ２部とし、また、役職レベルをＡレベルおよびＢレベルとした場合の例であり、塗りつぶしをしたＢ２部とＡ１社に所属するメンバが開示を許可されることを示している。
【００２５】
また、図５の例では、開示対象とする組織の範囲をＡ２社のＢ２部とし、役職レベルをＢレベルおよびＣレベルとした場合の例であり、塗りつぶしをしたＢ２部と、その配下であるＣ１課、Ｃ２課、…と、に所属するメンバが開示を許可される。
【００２６】
図２に戻り、フローの説明を続ける。組織Ａコンテンツサーバー２０および組織Ｂコンテンツサーバー２１から要求されたコンテンツを登録したＭＣＢＣＳサーバー１９は、それぞれの組織（コンテンツ提供者情報の組織、または組織情報に含まれる組織）に対応した優先度を取得するために、ポリシー機能サーバー３２に優先度取得要求メッセージを送信する（ステップＳ１５）。この際、優先度取得要求メッセージには、優先度の取得を要求する組織（コンテンツ提供者情報の組織、または組織情報に含まれる組織）の指定する情報を含むこととする。ポリシー機能サーバー３２は、優先度取得要求メッセージで指定された組織に対応する優先度を、保持している組織優先度に基づいて求め（複数の場合は組織ごとに優先度を求め）、求めた優先度を含む優先度取得応答メッセージを返信する（ステップＳ１６）。
【００２７】
ＭＣＢＣＳサーバー１９は、優先度取得応答メッセージを受信すると、登録されたコンテンツの配信希望スケジュールと、取得した組織に対応する優先度と、を用いて、配信スケジューリングを実施する（ステップＳ１７）。配信スケジューリングについて、図を用いてさらに詳しく説明する。図６は、配信スケジューリングを説明するための図である。配信希望スケジュール４０は、組織Ａの配信希望スケジュール（組織Ａコンテンツサーバー２０からのコンテンツ登録要求メッセージに含まれる配信希望スケジュール）を示し、配信希望スケジュール４１は組織Ｂの配信希望スケジュール（組織Ｂコンテンツサーバー２１からのコンテンツ登録要求メッセージに含まれる配信希望スケジュール）を示している。
【００２８】
なお、コンテンツ提供者情報の組織に対応する優先度に基づいて配信スケジューリングを実施する場合には、組織優先度は、提供者（組織Ａ，組織Ｂなど）ごとに定めておく。一方、組織情報（開示する範囲）に基づいて配信スケジューリングを行う場合には、会社単位（組織単位）としてもよく、また組織単位だけでなく、さらに部単位、課単位で細分化して優先度を決めておき、組織情報に基づいて優先度を取得するようにし、さらに細かい単位で設定した優先度を反映させて配信スケジューリングを行うようにしてもよい。なお、一般には、提供者（組織Ａ，組織Ｂなど）と組織情報の最上位レベルである会社等は、一致する（たとえば、組織Ａコンテンツサーバーが登録要求したコンテンツは組織情報として開示範囲に組織Ａ内の部署等が含まれる）が、必ずしも一致しなくてもよい。
【００２９】
ＭＣＢＣＳサーバー１９は、コンテンツ登録要求メッセージに含まれるコンテンツの配信希望スケジュールと、取得した組織に対応する優先度と、を用いて、配信スケジューリングを実施する。ここでは、組織Ａが組織Ｂに比べ高優先度であった場合の例を示しており、組織Ａ配信スケジュール４２は、組織Ａに対してスケジューリングされたコンテンツの配信スケジュール（配信時間）を示しており、組織Ｂ配信スケジュール４３は、組織Ｂに対してスケジューリングされたコンテンツの配信スケジュール（配信時間）を示している。このように、組織Ａの配信希望スケジュール４０と組織Ｂの配信希望スケジュール４１が重複する場合、組織Ａ配信スケジュール４２を優先させ、組織Ｂ配信スケジュール４３を、配信希望スケジュール４１より遅延させる。
【００３０】
図２に戻り、フローの説明を続ける。端末局１０（または端末局１１）は、ＭＣＢＣＳサーバー１９にサービスガイドの送信を要求するサービスガイド要求メッセージを送信する（ステップＳ１８）。なお、端末局１０は、ＡＡＡサーバー３０による認証済みであるとする。ＭＣＢＣＳサーバー１９は、サービスガイド要求メッセージを受信すると、たとえば、端末局１０のログインＩＤなど、端末局１０の利用者を識別するための識別情報に基づいて加入者データベースサーバー３１に問い合わせるなどの方法により、端末局１０の所属組織を取得し、端末局１０に開示可能なコンテンツ（開示範囲のコンテンツ）を、自身に登録されているコンテンツのなかから検索する（ステップＳ１９）。具体的には、ＭＣＢＣＳサーバー１９は、コンテンツに対応付けて保持している情報（コンテンツ登録要求メッセージに含まれる情報）のうちの組織情報を参照し、端末局１０に対応する組織情報が開示範囲として含まれるコンテンツを検索する。
【００３１】
そして、ＭＣＢＣＳサーバー１９は、検索した結果に基づいて、端末局１０に開示可能なコンテンツを含むサービスガイドを、サービスガイド応答メッセージとして返信する（ステップＳ２０）。図７は、サービスガイド応答メッセージに含める情報要素の一例を示す図である。サービスガイド応答は、プログラム情報と、アプリケーションレイヤ情報と、を含み、また、マルチキャスト用コネクションＩＤなどのＭＡＣレイヤの識別情報であるＭＡＣレイヤ情報と、マルチキャストＩＰアドレスなどのＩＰレイヤの識別情報であるＩＰレイヤ情報と、配信スケジュールと、暗号鍵に関する情報であるセキュリティ情報と、を含む。なお、配信スケジュールは、ステップＳ１７で行った配信スケジューリングの結果に基づいた情報であり、配信の開始時間／終了時間または配信の頻度などを含む。
【００３２】
サービスガイド応答メッセージを受信した端末局１０は、そのメッセージに含まれるＭＡＣレイヤ情報やＩＰレイヤ情報などに基づいて放送サービスの受信準備を行う（サービス参加：ステップＳ２１）。
【００３３】
一方、ＭＣＢＣＳサーバー１９は、配信スケジュールに基づいたタイミングでコンテンツ配信のセッションを開始し（ステップＳ２２）、コンテンツを配信する（ステップＳ２３）。ＭＣＢＣＳサーバー１９は、コンテンツの配信が終了すると、そのセッションを終了し（ステップＳ２４）、端末局１０はサービスから離脱する（ステップＳ２５）。
【００３４】
なお、本実施の形態では、ＭＣＢＣＳサーバー１９は、組織Ａコンテンツサーバー２０および組織Ｂコンテンツサーバー２１からコンテンツ登録要求メッセージにより組織ごとのコンテンツを取得して登録するようにしているが、これに限らず、媒体経由や操作者による操作など他の方法により組織ごとのコンテンツを登録するようにしてもよい。その場合、コンテンツごとに、コンテンツ登録要求メッセージに含まれる情報と同様の項目の情報を同様に保持することとする。
【００３５】
以上のように、本実施の形態では、ＭＣＢＣＳサーバー１９は、コンテンツの登録時にそのコンテンツの組織情報をコンテンツに対応して保持し、ポリシー機能サーバー３２が保持している組織と優先度の対応である組織優先度を取得して、組織優先度と、コンテンツの組織情報と、に基づいてコンテンツ配信のスケジューリングを実施するようにした。そのため、組織ごとのマルチキャスト放送サービスサーバーまたは組織個別の機能を有するサーバーを備えることなく、１台のマルチキャスト放送サービスサーバーで組織ごとの無線リソースの管理制御および優先度制御を実施することができる。
【００３６】
また、本実施の形態では、コンテンツの登録時にそのコンテンツの開示を許可する範囲の組織情報をコンテンツに対応して保持し、端末局の所属組織とコンテンツごとの組織情報とに基づいて、端末局に開示が許可されているコンテンツを検索してサービスガイドにその検索結果を含めて送信することができる。
【００３７】
実施の形態２．
図８は、本発明にかかる実施の形態２のマルチキャスト放送サービスサーバーがサービスガイドを配信する場合の制御フローの一例を示すチャート図である。本実施の形態の実施のマルチキャスト放送サービスシステムの構成は実施の形態１と同様である。実施の形態１では、サービスガイドを端末局１０，１１に個別配信するようにしたが、本実施の形態では、サービスガイドを一斉配信する。
【００３８】
図８に示すように、ステップＳ１１〜ステップＳ１４までのコンテンツ登録に関する動作は、実施の形態１と同様である。実施の形態１では、優先度取得要求メッセージおよび優先度取得応答メッセージを用いて、ＭＣＢＣＳサーバー１９が組織に対応した優先度をポリシー機能サーバー３２から取得したが、本実施の形態では、ポリシー機能サーバー３２が、保持している組織優先度を含む優先度設定要求メッセージを送信する（ステップＳ３１）。そして、ＭＣＢＣＳサーバー１９は、優先度設定要求メッセージを受信すると、そのメッセージに含まれる組織優先度を保持し、設定後に優先度設定応答メッセージを返送する（ステップＳ３２）。
【００３９】
ステップＳ１７では、ＭＣＢＣＳサーバー１９は、保持している組織優先度に基づいて、実施の形態１と同様に、配信スケジューリングを実施する（ステップＳ１７）。そして、ＭＣＢＣＳサーバー１９は、配信スケジューリングの結果に基づいて、サービスガイド通知メッセージをブロードキャスト回線またはマルチキャスト回線を用いて端末１０，１１へ一斉通知する（ステップＳ３３）。
【００４０】
図９は、サービスガイド通知メッセージに含める情報要素の一例を示す図である。サービスガイド通知メッセージは、実施の形態１のサービスガイド応答メッセージと同様に、プログラム情報と、アプリケーションレイヤ情報と、ＭＡＣレイヤ情報と、ＩＰレイヤ情報と、配信スケジュールと、を含む。一方、サービスガイド通知メッセージは、実施の形態１のサービスガイド応答メッセージと異なり、セキィリティ情報を含まず、組織情報を含んでいる。組織情報はプログラムの開示範囲を示す情報である。ここで、組織情報はコンテンツ登録要求メッセージに含まれる組織情報と同様であり、開示対象とする組織の範囲および役職レベルの範囲に関する情報である。
【００４１】
図８に戻り、フローの説明を続ける。端末局１０は、サービスガイド通知メッセージに含まれる組織情報に基づいて、端末局１０の所属組織へ開示が許可されるコンテンツを検索する（ステップＳ３４）。そして、検索の結果は画面表示などにより端末局１０のユーザに通知され、ユーザは開示が許可されるコンテンツの一覧から参加を希望するコンテンツを選択する。
【００４２】
なお、サービスに参加するにあたり、サービスガイド通知メッセージに含まれる情報だけでは不足する場合（たとえば、セキュリティ情報などが必要な場合）には、以下のステップＳ３５からステップＳ３７の処理を行う。端末局１０は、選択したコンテンツの配信を要求するサブスクライブ要求メッセージをＭＣＢＣＳサーバー１９へ送信する（ステップＳ３５）。ＭＣＢＣＳサーバー１９は、加入者データベースサーバー３１に問い合わせるなどの方法により端末１０に対応する所属組織を取得し、保持している組織情報と端末局１０との所属組織に基づいて、端末１０の所属組織が、サブスクライブ要求メッセージで要求されたコンテンツの開示許可範囲であるかを確認する（ステップＳ３６）。確認後に、ＭＣＢＣＳサーバー１９は、セキュリティ情報などの追加情報を含むサブスクリアブ応答メッセージを返送する（ステップＳ３７）。
【００４３】
なお、以上のステップＳ３５〜ステップＳ３７の替わりに、端末局１０は、サブスクライブ要求メッセージではなく、不足する情報の取得を要求するメッセージをＭＣＢＣＳサーバー１９へ送信し、ＭＣＢＣＳサーバー１９は、このメッセージに基づいて、コンテンツの開示許可範囲であるかを確認して、確認後に端末局１０に、要求された情報を送信するようにしてもよい。
【００４４】
以降、ステップＳ２１からステップＳ２５まで実施の形態１と同様の動作を行う。なお、サービスガイド通知メッセージに含まれる情報だけで、端末１０がサービス開始の準備を行うことができる場合は、ステップＳ３５〜ステップＳ３７を行わなくてもよい。
【００４５】
以上のように、本実施の形態では、実施の形態１と同様に組織優先度に基づいて配信スケジューリングを行い、ＭＣＢＣＳサーバー１９が、組織情報を含めたサービスガイド通知を各端末局に一斉に送信するようにしたので、実施の形態１と同様の効果が得られるとともに、端末局１０が、自身に開示を許可されているコンテンツのなかから配信を希望するコンテンツを選択することができる。
【００４６】
また、サブスクライブ要求メッセージを送信した端末局の所属組織を取得し、サブスクライブを希望されたコンテンツの組織情報により開示範囲を確認するようにしているので、端末局に開示が許可されたコンテンツの場合のみ配信を許可することができる。
【産業上の利用可能性】
【００４７】
以上のように、本発明にかかるマルチキャスト放送サービスサーバー、マルチキャスト放送サービスシステムおよびリソース管理方法は、マルチキャスト放送サービスを提供するマルチキャスト放送サービスシステムに有用であり、特に、複数の組織がマルチキャスト放送サービスを共用するマルチキャスト放送サービスシステムに適している。
【符号の説明】
【００４８】
１０，１１  端末局（ＭＳ）
１２，１３，１４  基地局
１５，１８  マルチキャストルータ
１６  無線アクセス網ゲートウエイ（ＡＳＮ−ＧＷ）
１７  無線アクセス網
１９  ＭＣＢＣＳサーバー
２０  組織Ａコンテンツサーバー
２１  組織Ｂコンテンツサーバー
３０  ＡＡＡサーバー
３１  加入者データベースサーバー（Subcriber  Profile  ＤＢ）
３２  ポリシー機能サーバー
４０，４１  配信希望スケジュール
４２  組織Ａ配信スケジュール
４３  組織Ｂ配信スケジュール
【図１】
2010283775.tif 000003
【図２】
2010283775.tif 000004
【図３】
2010283775.tif 000005
【図４】
2010283775.tif 000006
【図５】
2010283775.tif 000007
【図６】
2010283775.tif 000008
【図７】
2010283775.tif 000009
【図８】
2010283775.tif 000010
【図９】
2010283775.tif 000011